(57)【要約】【課題】送信機と受信機との間の通信状態を簡易的に確認することができる受信機及び遠隔ユニットを提供する。【解決手段】受信機３は、ＬＥＤ３７〜３９と、コマンドを送信機２に送信し、送信機２から返信されたコマンドを受信し、送信機２に送信したコマンド及び送信機２から返信されたデータに基づいてエラーの個数を判定し、判定されたエラーの個数に基づいて、ＬＥＤ３７〜３９の点灯、点滅、消灯、発光色及び発光回数を制御するマイコン３０とを備える。【選択図】図１
2019022065.tif 000002
【特許請求の範囲】
【請求項１】
発光手段と、
データを送信機に送信し、前記送信機から返信されたデータを受信する送受信手段と、
前記送信機に送信したデータ及び前記送信機から返信されたデータに基づいてエラーの個数を判定する判定手段と、
前記判定手段で判定されたエラーの個数に基づいて、前記発光手段の点灯、点滅、消灯、発光色及び発光回数を制御する制御手段と
を備えることを特徴とする受信機。
【請求項２】
前記エラーの内容及び前記データの送受信時間を含む履歴を記憶する記憶手段をさらに備えることを特徴とする請求項１に記載の受信機。
【請求項３】
送信機と受信機とを備える遠隔ユニットであって、
前記受信機は、
発光手段と、
データを前記送信機に送信し、前記送信機から返信されたデータを受信する第１送受信手段と、
前記送信機に送信したデータ及び前記送信機から返信されたデータに基づいてエラーの個数を判定する判定手段と、
前記判定手段で判定されたエラーの個数に基づいて、前記発光手段の点灯、点滅、消灯、発光色及び発光回数を制御する制御手段とを備え、
前記送信機は、
前記データを前記受信機から受信し、当該データを前記受信機に返信する第２送受信手段を備えることを特徴とする遠隔ユニット。
【請求項４】
前記エラーの内容及び前記データの送受信時間を含む履歴を記憶する記憶手段をさらに備えることを特徴とする請求項３に記載の遠隔ユニット。
【発明の詳細な説明】
【技術分野】
【０００１】
本発明は、受信機及び遠隔ユニットに関する。
【背景技術】
【０００２】
従来より、ローカル側のサーバとリモート側のモニタとの間に接続され、ローカル側のサーバからの映像をネットワークケーブルを介してリモート側のモニタに出力する遠隔ユニットが知られている（例えば、特許文献１参照）。この遠隔ユニットは、送信機と受信機とを備えている。送信機はローカル側のサーバに接続され、さらに、ネットワークケーブルを介して受信機に接続されている。受信機はリモート側のモニタに接続されている。受信機には、キーボードやマウスなども接続され、キーボードやマウスからのデータ信号は、受信機及び送信機を介してサーバに出力される。
【先行技術文献】
【特許文献】
【０００３】
【特許文献１】特開２００６−１８０４４３号公報
【発明の概要】
【発明が解決しようとする課題】
【０００４】
これまで遠隔ユニットの不具合として、リモート側のモニタがブラックアウトすることがあった。このようなエラーは、ネットワークケーブルに印加されるノイズ等に起因する通信不具合により発生する場合があるため、送信機と受信機との間の通信状態を確認する必要がある。
【０００５】
本発明の目的は、送信機と受信機との間の通信状態を簡易的に確認することができる受信機及び遠隔ユニットを提供することにある。
【課題を解決するための手段】
【０００６】
上記目的を達成するため、明細書に開示された受信機は、発光手段と、データを送信機に送信し、前記送信機から返信されたデータを受信する送受信手段と、前記送信機に送信したデータ及び前記送信機から返信されたデータに基づいてエラーの個数を判定する判定手段と、前記判定手段で判定されたエラーの個数に基づいて、前記発光手段の点灯、点滅、消灯、発光色及び発光回数を制御する制御手段とを備えることを特徴とする。
【発明の効果】
【０００７】
本発明によれば、送信機と受信機との間の通信状態を簡易的に確認することができる。
【図面の簡単な説明】
【０００８】
【図１】本実施の形態に係る遠隔ユニットの構成図である。
【図２】通信確認モードでの遠隔ユニットの動作を示すフローチャートである。
【図３】送信機と受信機との間のコマンドの送受信の一例を示す図である。
【図４】エラーの個数とＬＥＤの点灯制御との対応関係の一例を示す図である。
【図５】（Ａ）〜（Ｃ）は、ＬＥＤの点滅の制御方法の例を示す図である。
【図６】コマンドの送受信状態を示す図である。
【発明を実施するための形態】
【０００９】
以下、図面を参照しながら本発明の実施の形態を説明する。
【００１０】
図１は、本実施の形態に係る遠隔ユニットの構成図である。
【００１１】
図１に示すように、遠隔ユニット１は、送信機２と受信機３とを備えている。以下の説明では、送信機２が設置される場所をローカル側と呼び、受信機３が設置される場所をリモート側と呼ぶ。送信機２は、受信機３から数百メートル離れた場所に設置され、ＬＡＮ（Local Area Network）ケーブル５を介して受信機３に接続される。図１では、受信機３は送信機２と１対１接続されているが、マルチＫＶＭスイッチのように、受信機３は複数の送信機２と接続可能でもよい。
【００１２】
サーバ４からの映像信号は、送信機２に送信され、ＬＡＮケーブル５を介して受信機３に送信される。受信機３は、サーバ４からの映像信号をモニタ６に出力する。一方、受信機３のＰＳ／２ポート３５，３６にそれぞれ接続されているマウス７及びキーボード８の操作信号は、受信機３、ＬＡＮケーブル５及び送信機２を介してサーバ４に送信される。このように、遠隔ユニット１は、ローカル側のサーバ４の映像信号をリモート側のモニタ６に表示し、リモート側のマウス７及びキーボード８の操作信号をローカル側のサーバ４に送信する。尚、映像信号は、アナログＲＧＢ信号である。
【００１３】
送信機２は、第２送受信手段としてのマイコン２０、ＲＳ−４８５トランシーバ２１、ビデオアンプ２２、ビデオポート２３、ＰＳ／２ポート２４，２５、インタフェース（ＩＦ）２６及びＬＡＮＩＦ２７を備えている。マイコン２０は、ＲＳ−４８５トランシーバ２１、ビデオアンプ２２、ＰＳ／２ポート２４，２５及びＩＦ２６に接続されている。ＲＳ−４８５トランシーバ２１はＬＡＮＩＦ２７に接続されている。ビデオアンプ２２は、ビデオポート２３、ＩＦ２６及びＬＡＮＩＦ２７に接続されている。モニタ９はビデオポート２３に接続されており、サーバ４からの映像信号はモニタ９にも出力される。マウス１０及びキーボード１１はＰＳ／２ポート２４，２５にそれぞれ接続されており、マウス１０及びキーボード１１の操作信号は、マイコン２０を介してサーバ４に送信される。ＡＣアダプタ２８から電力は送信機２の各構成要素に供給される。尚、図１では、ＡＣアダプタ２８と送信機２の各構成要素とを接続する電力線は省略されている。
【００１４】
受信機３は、送受信手段、第１送受信手段、判定手段及び制御手段としてのマイコン３０、ＲＳ−４８５トランシーバ３１、映像調整回路３２、ＬＡＮＩＦ３３、ビデオポート３４、ＰＳ／２ポート３５，３６、発光手段としてのＬＥＤ（light emitting diode）３７〜３９、スイッチ４０〜４２及び記憶手段としてのメモリ４３を備えている。マイコン３０は、ＲＳ−４８５トランシーバ３１、映像調整回路３２、ＰＳ／２ポート３５，３６、ＬＥＤ（light emitting diode）３７〜３９、スイッチ４０〜４２及びメモリ４３に接続されている。ＲＳ−４８５トランシーバ３１はＬＡＮＩＦ３３に接続されている。映像調整回路３２はＬＡＮＩＦ３３及びビデオポート３４に接続されている。モニタ６はビデオポート３４に接続されている。マウス７及びキーボード８はＰＳ／２ポート３５，３６にそれぞれ接続されている。ＡＣアダプタ４２から電力は受信機３の各構成要素に供給される。尚、図１では、ＡＣアダプタ４２と受信機３の各構成要素とを接続する電力線は省略されている。
【００１５】
送信機２のマイコン２０は、送信機２の全体の動作を制御する。例えば、マイコン２０は、ビデオアンプ２２での映像信号の画質調整及びＲＳ−４８５トランシーバ２１からの操作信号の送受信などを行う。ビデオアンプ２２は、サーバ４からの映像信号を増幅してＬＡＮＩＦ２７を介して受信機３に出力する。ＲＳ−４８５トランシーバ２１は、ＬＡＮＩＦ２７及びＬＡＮケーブル５を介してマイコン２０からの制御信号を送信機２に送信する、又はＬＡＮＩＦ２７を介して受信機３から操作信号を受信し、マイコン２０へ送信する。ＲＳ−４８５トランシーバ２１は、受信した信号やデータに誤り訂正符号が含まれている場合には、受信した信号やデータの誤り訂正を行う。
【００１６】
受信機３のマイコン３０は、受信機３の全体の動作を制御する。例えば、マイコン３０は、映像調整回路３２に映像信号の画質調整を指示したり、又はマウス７及びキーボード８からの操作信号を受信し、ＲＳ−４８５トランシーバ３１に送信する。映像調整回路３２は、映像信号の画質調整を行う。具体的には、映像調整回路３２は、映像信号のフォーカスの調整（映像信号の周波数毎のゲイン特性の調整を含む）、映像信号の明るさの調整、及び映像信号のノイズのカットなどを行う。ＲＳ−４８５トランシーバ３１は、マイコン３０から操作信号を受信し、ＬＡＮＩＦ３３及びＬＡＮケーブル５を介して当該操作信号を送信機２に送信する、又はＬＡＮＩＦ３３及びＬＡＮケーブル５を介して送信機２から制御信号を受信し、マイコン３０へ送信する。ＲＳ−４８５トランシーバ３１は、受信した信号やデータに誤り訂正符号が含まれている場合には、受信した信号やデータの誤り訂正を行う。尚、後述する通信確認モードでは、エラーの個数を確認するため、ＲＳ−４８５トランシーバ２１，３１は、受信した信号やデータの誤り訂正を行わない。
【００１７】
マイコン３０は、ＬＥＤ３７〜３９の各々の点灯、消灯、点滅、発光色及び発光回数を制御する。ＬＥＤ３７〜３９の各々は、赤色、緑色及び青色の３色で点灯可能である。スイッチ４０〜４２は、例えば、セレクトスイッチ、右スイッチ及び左スイッチであり、これらのスイッチは、受信機３の設定情報の設定及び映像信号の画質の設定などに利用される。
【００１８】
受信機３は、動作モードとして、映像信号を送信機２から受信し、マウス７及びキーボード８からの操作信号を送信機２に送信する通常モードと、コマンドを連続的に送信機２に送信し、送信機２からそのまま返信されるコマンドを受信し、通信エラーを確認する通信確認モードとを有する。
【００１９】
メモリ４３は、通信確認モードでの通信エラーの内容やコマンドの送受信時間を含む通信エラー履歴を記憶する。メモリ４３は受信機３に内蔵されているメモリでもよいし、外付けメモリでもよい。メモリ４３が外付けされるメモリである場合には、メモリ４３に記憶された通信エラー履歴は持ち運び可能である。また、マイコン３０は、通信エラー履歴をメモリ４３から読み出して、ＬＡＮケーブル５及び送信機２を介してサーバ４に送信することもできる。この通信エラー履歴は、通信エラーの原因を特定する際に利用することができる。例えば、通信エラー履歴を参照することで通信エラーが発生するタイミングに特定の周期があるか否かを確認できる。
【００２０】
ＬＡＮケーブル５は、例えば、Ｃａｔ（カテゴリー）５Ｅケーブルであり、４対のツイストペア線を含む。４対のツイストペア線のうち３対のツイストペア線が映像信号の送受信に利用され、残りの１対のツイストペア線が操作信号及び後述するコマンドの送受信に利用される。
【００２１】
図２は、通信確認モードでの遠隔ユニットの動作を示すフローチャートである。初期状態では、マイコン２０及び３０の設定は通常モードであるとする。
【００２２】
まず、マイコン３０は、スイッチ４０〜４２が同時に５秒以上の長押しされたか否かを判別する（Ｓ１）。スイッチ４０〜４２が同時に５秒以上の長押しがされていない場合には（Ｓ１でＮＯ）、当該判別を繰り返す。一方、スイッチ４０〜４２が同時に５秒以上の長押しされた場合には（Ｓ１でＹＥＳ）、マイコン３０は、通常モードから通信確認モードに移行する（Ｓ２）。このとき、マイコン３０は、通信確認モードへの移行コマンドをマイコン２０に出力し、マイコン２０も通常モードから通信確認モードに移行する（Ｓ３）。
【００２３】
マイコン３０は、ＲＳ−４８５トランシーバ３１を介して「００」〜「ｆｆ」で示される２５６個のコマンドを送信機２のマイコン２０に順番に送信する（Ｓ４）。
【００２４】
マイコン２０はコマンドを受信し（Ｓ５）、そのままマイコン３０に返信する（Ｓ６）。マイコン３０は、マイコン２０から返信されたコマンドを受信し（Ｓ７）、エラー判定を行い、エラーの個数をカウントし、通信確認モードでの通信エラーの内容やコマンドの送受信時間を含む通信エラー履歴をメモリ４３に記憶する（Ｓ８）。例えば、図３に示すように、送信機２のマイコン２０から「０３」のコマンドが返信されない場合には、マイコン３０は、エラーの個数を１インクリメントする。
【００２５】
また、マイコン２０から返信されたコマンドが文字化けしている場合もあるため、マイコン３０は、マイコン２０に送信したコマンドとマイコン２０から返信された対応コマンドとを比較してエラー判定を行う。マイコン２０に送信したコマンドとマイコン２０から返信された対応コマンドとが同一である場合には、マイコン３０は、通信が正常であると判定する。一方、マイコン２０に送信したコマンドとマイコン２０から返信された対応コマンドとが異なる場合には、マイコン３０は、エラーの個数を１インクリメントする。例えば、マイコン３０がコマンドとして「００００」（２進数）のデータをマイコン２０に送信し、「０１０１」（２進数）のデータがマイコン２０から返信された場合には、マイコン３０は、ビット毎にデータの一致又は不一致を確認し、２ビットのデータが化けているので、マイコン３０は、エラーの個数を１インクリメントする。
【００２６】
次いで、マイコン３０は、エラーの個数に応じてＬＥＤ３７〜３９の点灯制御を行う（Ｓ９）。図４は、エラーの個数とＬＥＤ３７〜３９の点灯制御との対応関係の一例を示す図である。例えば、エラーの個数が０個である場合は、マイコン３０は、青色で点滅するようにＬＥＤ３７を制御し、青色で点灯するようにＬＥＤ３８を制御し、消灯するようにＬＥＤ３９を制御する。エラーの個数が１〜９個である場合は、マイコン３０は、青色で点滅するようにＬＥＤ３７を制御し、青色で点灯するようにＬＥＤ３８を制御し、エラーの個数に応じて緑色で点滅するようにＬＥＤ３９を制御する。エラーの個数が１０〜９９個である場合は、マイコン３０は、青色で点滅するようにＬＥＤ３７を制御し、青色で点灯するようにＬＥＤ３８を制御し、エラーの個数に応じて赤色で点滅するようにＬＥＤ３９を制御する。エラーの個数が１００〜９９９個である場合は、マイコン３０は、青色で点滅するようにＬＥＤ３７を制御し、青色で点灯するようにＬＥＤ３８を制御し、エラーの個数に応じて青色で点滅するようにＬＥＤ３９を制御する。エラーの個数が１０００個以上である場合は、マイコン３０は、青色で点滅するようにＬＥＤ３７を制御し、赤色で点灯するようにＬＥＤ３８及び３９を制御する。尚、点灯色や点滅パターンなどは上記の例に限定されるものではない。
【００２７】
ここで、図５（Ａ）〜（Ｃ）を参照しながら、ＬＥＤ３９の点滅の制御方法について説明する。エラーの個数が１個である場合、図５（Ａ）に示すように、マイコン３０は、５秒の区間でエラーの個数分（ここでは１個）だけハイ（ＨＩＧＨ）信号を出力する。このＬＥＤ３９は、マイコン３０からハイ信号を受信すると緑色に点灯し、マイコン３０からロー（ＬＯＷ）信号を受信すると消灯する。図５（Ａ）では、ＬＥＤ３９は、５秒ごとに点灯と消灯とを繰り返す。
【００２８】
エラーの個数が３つである場合、図５（Ｂ）に示すように、マイコン３０は、５秒の区間でエラーの個数分（ここでは３個）だけハイ信号を出力する。ＬＥＤ３９は、５秒の区間でマイコン３０から３つのハイ信号を受信し、３回緑色に点滅し、その後、５秒間消灯し、この点滅及び消灯を繰り返す。ユーザは、ＬＥＤ３９の３回の緑色の点滅を確認することで、エラーの個数が３個であることを認識することができる。
【００２９】
エラーの個数が３０〜３９個である場合、図５（Ｃ）に示すように、マイコン３０は、５秒の区間で「エラーの個数／１０（小数点以下は切り捨て）」に相当する数だけハイ信号を出力する。この場合、ＬＥＤ３９は、５秒の区間でマイコン３０から３つのハイ信号を受信し、３回赤色に点滅し、その後、５秒間消灯し、この点滅及び消灯を繰り返す。ユーザは、ＬＥＤ３９の３回の赤色の点滅を確認することで、エラーの個数が３０〜３９個であることを認識することができる。
【００３０】
同様に、エラーの個数が３００〜３９９個である場合、マイコン３０は、５秒の区間で「エラーの個数／１００（小数点以下は切り捨て）」に相当する数だけハイ信号を出力する。この場合、ＬＥＤ３９は、５秒の区間でマイコン３０からエラー３つのハイ信号を受信し、３回青色に点滅し、その後、５秒間消灯し、この点滅及び消灯を繰り返す。ユーザは、ＬＥＤ３９の３回の青色の点滅を確認することで、エラーの個数が３００〜３９９個であることを認識することができる。このように、ユーザは、ＬＥＤ３９の点滅色及び点滅回数によってエラーの個数を確認することができる。
【００３１】
図２に戻り、マイコン３０は、スイッチ４０〜４２が同時に５秒以上の長押しされたか否かを判別する（Ｓ１０）。スイッチ４０〜４２が同時に５秒以上の長押しがされていない場合には（Ｓ１０でＮＯ）、Ｓ４の処理に戻る。この場合、２５６個のコマンドが再びマイコン２０に送信される。スイッチ４０〜４２が同時に５秒以上の長押しされた場合には（Ｓ１０でＹＥＳ）、マイコン３０は、通信確認モードを終了し、通常モードに移行して（Ｓ１１）、本処理を終了する。このとき、マイコン３０は、通信確認モードの終了コマンドをマイコン２０に出力し、マイコン２０も通信確認モードを終了し、通常モードに移行して（Ｓ１２）、本処理を終了する。
【００３２】
図６は、コマンドの送受信状態を示す図である。マイコン３０はコマンドをマイコン２０に送信し、マイコン２０はコマンドを受信する（図２のＳ４，Ｓ５参照）。マイコン２０は、そのままコマンドをマイコン３０に返信し、マイコン３０はマイコン２０から返信されたコマンドを受信する（図２のＳ６，Ｓ７参照）。そして、マイコン３０は、エラー判定を行い、通信エラーが発生している場合には、通信確認モードでの通信エラーの内容及びコマンドの送受信時間を含む通信エラー履歴をメモリ４３に記憶する（図２のＳ８参照）。このように、通信エラーの内容とともに、通信確認モードに移行してからの時間情報もメモリ４３に記憶する。
【００３３】
通信確認モードが終わると、マイコン３０は、メモリ４３に保存した通信エラー履歴を送信機２経由でサーバ４に通知することができる、又はメモリ４３に保存した通信エラー履歴をＬＡＮケーブル５を介して不図示の外部コンピュータなどに通知することができる。メモリ４３には、コマンドの送受信時間、即ち、通信エラーが発生した時間情報を保存することができるので、この情報に基づいて、通信エラーが発生するタイミングに特定の周期があるか否か等の分析が可能になる。
【００３４】
以上説明したように、本実施の形態によれば、受信機３は、ＬＥＤ３７〜３９と、コマンドを送信機２に送信し、送信機２から返信されたコマンドを受信し、送信機２に送信したコマンド及び送信機２から返信されたデータに基づいてエラーの個数を判定し、判定されたエラーの個数に基づいて、ＬＥＤ３７〜３９の点灯、点滅、消灯、発光色及び発光回数を制御するマイコン３０とを備える。これにより、ユーザは、ＬＥＤ３７〜３９の点灯、点滅、消灯、発光色及び発光回数によってエラーの個数を確認することができ、送信機２と受信機３との間の通信状態を簡易的に確認することができる。
【００３５】
尚、本発明は、上述した実施の形態に限定されるものではなく、その要旨を逸脱しない範囲内で種々変形して実施することが可能である。
【符号の説明】
【００３６】
１  遠隔ユニット
２  送信機
３  受信機
２０，３０  マイコン
２１，３１  ＲＳ−４８５トランシーバ
２２  ビデオアンプ
２３，３４  ビデオポート
２４，２５，３５，３６  ＰＳ／２ポート
２６  インタフェース（ＩＦ）
２７  ＬＡＮＩＦ
３２  映像調整回路
３７〜３９  ＬＥＤ
４０〜４２  スイッチ
４３  メモリ
【図１】
2019022065.tif 000003
【図２】
2019022065.tif 000004
【図３】
2019022065.tif 000005
【図４】
2019022065.tif 000006
【図５】
2019022065.tif 000007
【図６】
2019022065.tif 000008